(57)【要約】  電子デバイス用の色変更カバーデバイスは、照明されていないときは白く見え、電子デバイスの選択部分を覆うように適合された形状と、１０％未満の直接透過率と、１％未満の拡散透過率とを有する、透光性カバー部品を有する。バックライト部品は、当該透光性カバー部品の裏面から透光性カバー部品を照明するように配置される。当該バックライト部品は、異なるスペクトル出力を有する少なくとも２つの個別にアドレス可能な有色光を提供するように構成される。
2017519363.tif 000002
【特許請求の範囲】
【請求項１】
照明されていないときは白く見え、電子デバイスの選択部分を覆うように適合された形状を有する透光性カバー部品であって、１０％未満の直接透過率および１％以上の拡散透過率を有する透光性カバー部品と；
該透光性カバー部品の裏面から該透光性カバー部品を照明するように配置されたバックライト部品であって、異なるスペクトル出力を有する少なくとも２つの個別にアドレス可能な有色光を提供するように構成されたバックライト部品と
を含む、電子デバイス用の色変更カバーデバイス。
【請求項２】
直接透過率に対する拡散透過率の比率が１を超える、請求項１に記載の色変更カバーデバイス。
【請求項３】
前記透光性カバー部品のＤ６５反射色座標Ｌ＊、ａ＊、およびｂ＊が、それぞれ８０≦Ｌ＊≦１００、−５≦ａ＊≦５、および−５≦ｂ＊≦５の範囲内である、請求項１に記載の色変更カバーデバイス。
【請求項４】
前記透光性カバー部品が、少なくとも２００ＭＰａの圧縮応力下にある少なくとも１つの表面と、少なくとも１５μｍの圧縮応力層深さを有する圧縮応力層とを有する白色ガラス−セラミック材料を含み、該白色ガラス−セラミック材料が、５０ｋＰを超える液相粘度を有する、請求項１に記載の色変更カバーデバイス。
【請求項５】
前記透光性カバー部品が、透明ガラスと、該透明ガラスの表面上に適用された白色拡散コーティングとを含み、該白色拡散コーティングが、該透光性カバー部品の前記裏面に位置されており、該透明ガラスが、少なくとも２００ＭＰａの圧縮応力下にある少なくとも１つの表面と、少なくとも１５μｍの深さを有する圧縮応力層とを有する、請求項１に記載の色変更カバーデバイス。
【請求項６】
前記バックライト部品が、前記透光性カバー部品の前記裏面に対向する関係で位置決めされたカラーアレイまたは有色光源のアレイを含む、請求項１から５のいずれかに記載の色変更カバーデバイス。
【請求項７】
前記バックライト部品が、前記透光性カバー部品の端部またはその付近の位置から前記透光性カバー部品の前記裏面に有色光を投影するように配置された複数の有色光源を含む、請求項１から５のいずれかに記載の色変更カバーデバイス。
【請求項８】
前記バックライト部品が、反射面に有色光を投影するように配置された複数の有色光源を含み、該反射面が、該有色光源から受けた該有色光を、前記透光性カバー部品の前記裏面に向けて反射するように配置されている、請求項１から５のいずれかに記載の色変更カバーデバイス。
【請求項９】
前記有色光の少なくとも１つを受け取り、該有色光の該少なくとも１つを前記透光性カバー部品の周囲材料に分配するために、該透光性カバー部品の前記裏面に埋め込まれた少なくとも１つの導波路をさらに含む、請求項１から５のいずれかに記載の色変更カバーデバイス。
【請求項１０】
前記有色光の少なくとも１つを受け取り、該有色光の該少なくとも１つを前記透光性カバー部品の周囲材料に分配するために、該透光性カバー部品の前記裏面の近位に配置された少なくとも１つの光拡散ファイバーをさらに含む、請求項１から５のいずれかに記載の色変更カバーデバイス。
【発明の詳細な説明】
【関連出願の相互参照】
【０００１】
本出願は、２０１４年５月３０日に出願された米国特許仮出願第６２／００５３４５号明細書の恩典を主張するものであり、なお、その開示は、参照により本明細書に組み入れられる。
【背景技術】
【０００２】
電子デバイスの色を動的に変化させる能力は、例えば使用者の気分や使用者の環境における変化などに応じて追加の機能を提供することができる新規の多くの個人用電子デバイスを可能にするであろう。したがって、電子デバイスのサイズおよび電力消費を著しく増加させることなくそのような色変更能力を有する電子デバイスを提供することが望まれている。
【発明の概要】
【発明が解決しようとする課題】
【０００３】
電子デバイスでの使用のための色変更カバーデバイスについて本明細書において開示する。
【課題を解決するための手段】
【０００４】
一例示的実施形態において、電子デバイス用の色変更カバーデバイスは、照明されていないときに白色に見え、電子デバイスの選択部分、例えば１つまたは複数の面などを覆うように適合された形状を有する、透光性カバー部品を含む。当該透光性カバー部品は、１０％未満の直接透過率および１％を超える拡散透過率を有する。当該色変更カバーデバイスはさらに、当該透光性カバー部品をその裏面から照明するように配置されたバックライト部品も含む。当該バックライト部品は、異なるスペクトル出力を有する少なくとも２つの個別にアドレス可能な有色光を提供するように構成される。
【０００５】
当該色変更カバーは、電子デバイスの電源および制御ユニットと当該色変更カバーデバイスのバックライト部品との間において為された適切な接続を伴って、電子デバイスの選択部分を覆うように電子デバイスに取り付けることができる。これは、例えば電子デバイスによって指定される使用者の意向に従って、透光性カバー部品の照明色を動的に変えることを可能にするであろう。バックライト部品によって提供される有色光は、照明されたときに透光性カバー部品が有し得る可視色が実質的に制限されないように、選択することができる。
【０００６】
前述の概略および以下の詳細な説明がともに例示的なものであることは理解されるべきである。添付の図面は、実施形態のさらなる理解を提供するために含められ、本開示に組み込まれて本開示の一部を構成する。
【０００７】
以下は、添付の図面における図の説明である。当該図は、必ずしも原寸に比例しているわけではなく、当該図面におけるある特定の特徴およびある特定の図は、明瞭さおよび簡潔さのために、縮尺を誇張、または概略的に示されている場合がある。
【図面の簡単な説明】
【０００８】
【図１】色変更カバーデバイスを伴う電子デバイスを示す。
【図２】色変更カバーデバイスのためのカバー部品およびバックライト部品の配置を示す。
【図３】２つの材料層を有する透光性カバー部品を示す。
【図４】直接照明式の構成の光源のアレイを有する透光性カバー部品の照明を示す。
【図５】側方照明式の構成の光源を有する透光性カバー部品の照明を示す。
【図６】反射面および光源による透光性カバー部品の照明を示す。
【図７】配光のために透光性カバー部品に埋め込まれた導波路を示す。
【図８】導波路の構造を示す。
【図９】配光のために透光性カバー部品上に配置された光拡散ファイバーを示す。
【図１０】組成物５１９ＨＨＴの様々な熱処理の拡散透過率を示す。
【図１１】組成物５１９ＨＨＴの様々な熱処理の直接透過率を示す。
【図１２】組成物５１９ＨＨＴの様々な熱処理の総透過率を示す。
【発明を実施するための形態】
【０００９】
図１は、電子デバイス４の片面２にカバーとして取り付けられた色変更カバーデバイス１０を示している。当該色変更カバーデバイス１０は、電子デバイスの当該面２における１つまたは複数の開口部を覆い得る。電子デバイス４は、例えば図１に示されるようなスマートフォン、または他のタイプの携帯式電子デバイス、例えば、ラップトップまたはタブレットなどであり得る。以下において詳細に説明されるように、当該色変更カバーデバイス１０は、電子デバイスの選択部分、例えば電子デバイス４の面２などを覆うための透光性カバー部品１２と、当該透光性カバー部品１２を当該透光性カバー部品１２の裏面から照明するための裏面照明部品（図１では見えない；図２、４、５、６、７、および９の１６、１６ａ、１６ｂ、１６ｃ、１６ｄ、および１６ｅを参照されたい）とを含む。透光性カバー部品１２の形状は、覆われる電子デバイスの当該部品に応じるであろう。一実施形態において、透光性カバー部品１２の材料配置は、照明されていないときに当該透光性カバー部品１２が白色に見えるような材料配置である。典型的には、これは、透光性カバー部品１２が少なくとも１つの白色面を有することを意味する。典型的には、少なくとも裏面は白色であり、これは、当該裏面が拡散体として機能することを可能にする。当該カバー部品１２の半透明性は、電子デバイス、例えば電子デバイス４などの内部の部品の詳細な像が透けて見えるのを防ぎつつ、光が当該カバー部品１２を通過することを可能にするであろう。
【００１０】
当該バックライト部品（図１では見えない；図２、４、５、６、７、および９の１６、１６ａ、１６ｂ、１６ｃ、１６ｄ、および１６ｅを参照されたい）は、透光性カバー部品１２の照明のために１種または複数種の有色光、好ましくは少なくとも２種の有色光、より好ましくは３種の有色光を提供するための複数の発光素子を含む。例えば、当該バックライト部品は、赤色、緑色、および青色の光を提供し得、これらを、様々な強度において混合することにより、任意の所望の可視色の透光性カバー部品１２を提供することができる。当該バックライトのうちの１つまたは複数は、電子デバイス間の光通信のために、または敵味方の識別のために、スペクトルの赤外部分または紫外部分でもあり得る。一実施形態において、当該バックライト部品は、個別にアドレス可能な有色光を様々なスペクトル出力において提供し、これは、透光性カバー部品１２の照明色の動的制御を可能にする。当該有色光は、当該有色光を提供する制御可能な発光素子によって、アドレス可能である。色変更カバーデバイス１０に関連付けられた電子デバイス、例えば、電子デバイス４などは、バックライト部品に対して制御および電力を提供することができる。当該バックライト部品は、任意の好適な発光素子、例えば、発光ダイオード（ＬＥＤ）、ランプ、冷陰極蛍光ランプ（ＣＣＦＬ）、およびレーザーなどの有色光源、ならびに導波路および配光ファイバーなどの配光素子、を使用してもよい。
【００１１】
図２は、色変更カバーデバイスの実施形態における、透光性カバー部品１２およびバックライト部品１６の例示的な一配置を示している。当該透光性カバー部品１２は、標的の電子デバイスにおける覆われるべき部分によって決定されるであろう形状を有する。例示のために、当該透光性カバー部品１２は、図２において平坦な形状を有するように示されている。一般的に、透光性カバー部品１２は、平坦な二次元形状または三次元形状、例えば、浅皿状の形状またはそり状の形状（これらの形状はともに、端部において、湾曲した側面、まっすぐな側面、または傾斜した側面に丸角によって接続された、平坦かまたはわずかに湾曲した主要面を有する）を有し得る。当該透光性カバー部品１２は、電子デバイスのデザインによって求められる場合、図２には示されていない様々な切り抜き部も有していてもよい。そのような切り抜き部の例が図１の６に示されており、ここには、電子デバイス４のカメラレンズ８が位置されている。
【００１２】
図２において、透光性カバー部品１２は、標的の電子デバイスの内側にあるであろう裏面１４と、標的の電子デバイスの外側にあるであろう前面１５（裏面１４に対向する）とを有する。バックライト部品１６は、裏面１４から透光性カバー部品１２を照明するような位置または立体配置において、電子デバイスの内側に位置されるであろう。一実施形態において、当該透光性カバー部品１２は、３９０ｎｍから７００ｎｍの波長範囲にわたって、１０％未満、好ましくは１％未満の直接（または正）透過率と、１％を超える、好ましくは５％を超える拡散（または散乱）透過率を有する。前に説明したように、当該透光性カバー部品１２は、照明されていないときは白色を有し、この場合、当該白色は、透光性カバー部品１２の材料配置によるものである。
【００１３】
一実施形態において、透光性カバー部品１２は、白色ガラス−セラミック材料から作製されている。損傷抵抗性のために、当該白色ガラス−セラミック材料は、（ｉ）少なくとも２００ＭＰａの圧縮応力下にある少なくとも１つの表面と、少なくとも１５μｍの圧縮応力層深さを有する圧縮応力層とを有する白色ガラス−セラミック材料、（ｉｉ）少なくとも７００ＭＰａの圧縮応力下にある少なくとも１つの表面と、少なくとも２０μｍの圧縮応力層深さを有する圧縮応力層とを有する白色ガラス−セラミック材料、（ｉｉｉ）（ｉ）または（ｉｉ）のような圧縮応力および圧縮応力層と、５０ｋＰを超える、好ましくは１００ｋＰを超える、より好ましくは２００ｋＰを超える液相粘度とを有する白色ガラス−セラミック材料、から選択される。上記において説明した特性を有するように化学強化することができるガラス−セラミック組成物の例は、例えば、米国特許出願第１４／０３８２０３号明細書において開示されている。化学強化プロセスは、硬質表面による衝撃からの損傷に耐えるために必要な靱性を有する白色ガラス−セラミック材料を提供するであろう。
【００１４】
別の実施形態において、当該透光性カバー部品１２は、２つの材料層から作製される。図３に示されているように、第一材料層１２ａは、澄んだ透明ガラスであり、第二材料層１２ｂは、白色拡散コーティングである。ガラスが、分光光度計によって測定したときに３９０ｎｍから７００ｎｍの範囲において少なくとも８０％の透過率を有する場合、当該ガラスを透明であると見なすことができる。白色拡散コーティング１２ｂは、澄んだ透明ガラス１２ａの表面上に適用され、結果として、当該白色拡散コーティング１２ｂは、当該透光性カバー部品１２の裏面１４を提供する。損傷抵抗性のために、当該透明ガラス１２ａは、少なくとも２００ＭＰａの圧縮応力下にある少なくとも１つの表面と、少なくとも１５μｍの圧縮応力層深さを有する圧縮応力層とを有する化学強化されたガラスから選択され得る。当該化学強化されたガラスは、商業的供給元から得ることができる。例えば、Ｃｏｒｎｉｎｇ  ＩｎｃｏｒｐｏｒａｔｅｄからＧＯＲＩＬＬＡ（登録商標）ガラスの商標において入手可能な化学強化されたガラスは、透明ガラスとして使用することができる。
【００１５】
さらなる別の実施形態において、当該透光性カバー部品１２は、透光性カバー部品１２に対して上記において説明した半透明性、透過特性、および色特性を有する白色ポリマーまたは他の材料もしくは構造体から作製され得る。
【００１６】
図２において、バックライト部品１６は、透光性カバー部品１２の裏面１４に対向する関係で配置されたカラーアレイ１８を有する。カラーアレイは、異なる有色光源もしくは有色発光素子のアレイである。当該光源もしくは発光素子は、例えば、ＬＥＤ、レーザー、またはカラーフィルターであり得る。一実施形態において、カラーアレイ１８は、少なくとも、赤色、青色、および緑色の光を提供する発光素子（または光源）を含む。一実施例において、当該カラーアレイ１８は、有色光フィルターを含む。当該フィルターは、透光性カバー部品１２の裏面１４へと当該フィルターを透過した光の色を変更するであろう。当該フィルターを通過する光は、周囲光、例えば、電子デバイスの画面を照明するために使用される光など、であり得るか、あるいは、別々の光源（図示されず）によって提供され得る。裏面１４は、当該裏面１４が受け取った有色光に対する拡散体として機能し、所望の照明色またはカラーパターンを有する透光性カバー部品１２を提供するために、当該有色光を拡散させならびに混合する。裏面１４はまた、当該色が、ロゴ、ボタン、特徴、または文字の形状の部分のみにおいて照明するか、またはその逆において照明されるように、一部分をマスキングするための不透明パターンも有し得る。
【００１７】
図４は、色変更カバーデバイスの別の実施形態の場合の、上記において説明されるような透光性カバー部品１２およびバックライト部品１６ａの別の例示的配置を示している。図４において、バックライト部品１６ａは、透光性カバー部品１２の裏面１４に対向する関係で配置された有色光源２０のアレイを含む。当該有色光源２０は、ＬＥＤとして図示されているが、他のタイプの有色光源を使用してもよい。当該有色光源２０のアレイは、赤色、青色、および緑色の光源、ならびにスペクトルの可視部分の外側の他の色もしくは波長を有する光源を含んでもよい。裏面１４は、所望の照明色またはカラーパターンを有する透光性カバー部品１２を提供するために、当該裏面１４が光源２０から受けた有色光を拡散するであろう。
【００１８】
図５は、上記において説明したような透光性カバー部品１２およびバックライト部品１６ｂの配置を示している。図５において、バックライト部品１６ｂは、透光性カバー部品１２の端部またはその付近の位置から有色光を裏面１４に投影するように配置された有色光源２１を含む。有色光源２１は、ＬＥＤであり得るが、他のタイプの有色光源を使用してもよい。裏面１４は、つや消し、エッチング、コーティング、または粗化を施すことによって、総透過率を著しく減少させることなく、直接透過率に対する拡散透過率の比率を高めることができる。
【００１９】
図６は、上記において説明したような透光性カバー部品１２およびバックライト部品１６ｃの配置を示している。図６において、バックライト部品１６ｃは、有色光を反射面２４、例えば鏡などに投影するように配置された有色光源２２を含む。反射面２４は、有色光源２２から受けた有色光を、透光性カバー部品の裏面１４に向けて反射するように配置されている。当該鏡は、側方照明と、カラービームを混合するためのより長い経路長とを有する、より薄いデバイスを可能にする。当該有色光源２２は、ＬＥＤであり得るが、他のタイプの有色光源を使用してもよい。さらに、当該反射面２４は、光源の像を拡散させ透光性カバー部品１２上での光源の「ホットスポット」または像が生じるのを防ぐために、散乱性であってもよい。
【００２０】
図７は、色変更カバーデバイスの別の実施形態における、透光性カバー部品１２およびバックライト部品１６ｄの配置を示している。当該透光性カバー部品１２ａは、主に、その裏面１４ａにパターン形成されたまたは埋め込まれた導波路２８を含む点において、上記において説明した透光性カバー部品１２とは異なっている。図８に示されているように、導波路２８は、高屈折率の透明材料で作製されたコア３０と、当該コア３０を囲む、低屈折率の光散乱材料で作製された被覆材３２とを含む。光は、有色光源２６からコア３０中へと投影され、被覆材３２によって透光性カバー部品１２ａにおける周囲材料中へと散乱される（図７）。導波路２８のパターンに従って、透光性カバー部品１２ａ上に、光の輝きが見られるであろう。したがって、導波路のパターンは、透光性カバー部品１２ａが照明されたときに透光性カバー部品１２ａ上に表示される所望の像に基づいて選択され得る。
【００２１】
再び図７を参照すると、バックライト部品１６ｄは、２つ以上の有色光源２６を有していてもよい。その場合、複数の有色光源２６が、単一の導波路２８のコア中へと光を投影し得る。あるいは、当該複数の有色光源からの有色光を、単一の導波路２８のコア中へと投影する前に混合してもよい。あるいは、複数の導波路２８を、裏面１４ａにパターン形成するかまたは埋め込んでもよく、その場合、各導波路は、複数の有色光源のうちの１つからの有色光を受け取り得る。
【００２２】
図９は、上記において説明したような透光性カバー部品１２およびバックライト部品１６ｅの配置を示している。図９では、光拡散ファイバー３６が、透光性カバー部品１２の裏面１４上に配置されている。バックライト部品１６ｅは、当該光拡散ファイバー３６中へと光を投影するように配置された有色光源３４を含む。当該有色光源３４は、ＬＥＤまたはレーザーまたは他のタイプの有色光源であり得る。当該光拡散ファイバー３６は、当該光拡散ファイバー３６が受け取った光を、当該透光性カバー部品１２の周囲材料中に散乱するであろう。特にバックライト部品１６ｅが少なくとも２つの有色光を提供する場合、バックライト部品１６ｅは、２つ以上の有色光源３４を有し得る。複数の有色光は、単一の光拡散ファイバー３６へと結合され得る。あるいは、複数の光拡散ファイバー３６を、裏面１４上に配置してもよく、その場合、各光拡散ファイバー３６は、当該複数の有色光源のうちの１つからの有色光を受け取る。当該光拡散ファイバー３６は、透光性カバー部品１２が照明されたときに当該透光性カバー部品１２上に所望の像を形成するように、裏面１４上に所望のパターンにおいて配置してもよい。
【００２３】
図７および図９に示されるもの以外の他の散乱パターンも、当該透光性カバー部品１２（１２ａ）の裏面１４上に形成してもよく、または埋め込んでもよい。
【００２４】
上記において説明した色変更カバーデバイス１０は、その色を動的に変えることができる電子デバイスを可能にするであろう。非通電状態では、透光性カバー部品１２（１２ａ）は、白色不透明に見えるであろう。通電状態では、当該透光性カバー部品１２（１２ａ）の色は、バックライト部品１６（１６ａ、１６ｂ、１６ｃ、１６ｄ、１６ｅ）によって変えることができる。バックライト部品の制御は、電子デバイスによって行うことができる。例えば、当該電子デバイスの使用者は、当該電子デバイスの画面上に表示されるメニューから、カバーを所望の色に設定することができるであろう。次いで、当該電子デバイスは、透光性カバー部品１２（１２ａ）に所望の照明色を提供するために、バックライト部品１６（１６ａ、１６ｂ、１６ｃ、１６ｄ、１６ｅ）の光源の強度を制御するであろう。当該透光性カバー部品１２（１２ａ）は、単色またはグラデーション色あるいは有色の像またはパターンによって照明することができる。例えば、バックライト部品１６（１６ａ、１６ｂ、１６ｃ、１６ｄ、１６ｅ）の光源は、所定のパターンに配置することができ、所定の像またはパターンで透光性カバー部品１２を照明するように個別に制御することができる。照明された像を透光性カバー部品１２（１２ａ）に作り出すために、当該透光性カバー部品１２（１２ａ）に埋め込まれた導波路またはパターン形成された照明アレイも使用することができる。
【００２５】
ポリマーベースのカバーは、容易に引っかき傷が付くが、それに対し、ハードガラスまたはガラス−セラミックカバーは、表面への引っかき傷に対する抵抗性が高い。ガラスまたはガラス−セラミックカバーが、２００ＭＰａを超える圧縮応力および１５マイクロメートルを超える圧縮応力層深さを有するようにイオン交換される場合、当該ガラスまたはガラス−セラミックカバーは、損傷抵抗性が向上し、使用後も強度を維持するであろう。下記の表１には、当該透光性カバー部品１２（１２ａ）の製造に非常に適したいくつかの例示的ガラス−セラミックが列挙されている。
【００２６】
【表１−１】
2017519363.tif 000003
【００２７】
【表１−２】
2017519363.tif 000004
【００２８】
透光性カバー部品１２（１２ａ）の背後の部品の可視性を最小限に抑えるために、透光性カバー部品１２（１２ａ）は低い直接透過率を有することが望ましい。しかしながら、効率を最大化し、所定の輝度のための電力消費を最小限に抑えるためには、透光性カバー部品１２（１２ａ）を通るバックライトを可能な限り多くすることも望ましく、そのため、高い拡散透過率が必要である。概して、当該透光性カバー部品１２（１２ａ）は、デバイスの内部が見えるのを防ぐために、１０％未満の直接透過率を有することが必要である。さらに、日光など明るい周囲条件において内部を見えなくするためには、５％未満の直接透過率が必要であるが、バックライト点灯時でさえ内部を見えないようにするためには、２％未満の直接透過率が最も望ましい。高効率のために、拡散透過率は、消費電力を低くするために２％を超えるべきであり、より好ましくは５％を超えるべきであり、最も好ましくは、拡散透過率は、最適なデバイス輝度およびバッテリー寿命のために１０％を超えるべきである。
【００２９】
様々な条件下で加熱処理された組成物５１９ＨＨＴに対する拡散透過率曲線および直接透過率曲線が、図１０および１１に示されている。図１０および図１１において使用される注釈を理解するために、例えば、凡例「５１９ＨＨＴ  ６００−２，７５０−４」は、組成物５１９ＨＨＴが、６００℃で２時間、続いて７５０℃で４時間においてセラミック化されたことを意味する。６００℃で２時間のみでセラミック化された組成物５１９ＨＨＴ、またはさらに続いて７２５℃で４時間においてセラミック化された組成物５１９ＨＨＴは、高効率のために、可視スペクトルにわたって７０％を超える透過率を示しているが、その一方で、散乱は非常にわずかであり、したがって、総透過率のほとんど全てが直接透過率であり、当該カバーは、その背後にある物を隠しはしないであろう。これらの実施例は両方とも、２％未満の拡散透過率を示しており、したがって、デバイス内部を隠すためには有効なカバーではない。組成物５１９ＨＨＴが、６００℃で２時間、さらに７５０℃で４時間においてセラミック化された場合、直接透過率は、６０％未満まで低下する。最高セラミック化温度を７６５℃まで上げた場合、直接透過率は、スペクトルの可視部分において１０％未満であり、当該材料は、依然として２０％を超える拡散透過率を可能にしつつ、その背後の物を見えなくする。６００℃で２時間、さらに７７５℃で４時間においてセラミック化された組成物５１９ＨＨＴは、１％未満の直接透過率を有し、当該スペクトルの可視部分のほとんどにおいて依然として１０％を超える拡散透過率と、当該スペクトルの赤色部分において２０％を超える拡散透過率を示す。理想的な材料は、直接透過率よりも高い拡散透過率を示すであろうし、この比率は、直接透過率に対する拡散透過率の比率をさらに増加させるためにカバー１２の表面１４をサンドブラスト、つや消し、コーティング、エッチング、またはそれ以外で粗化することによって、高めることができる。一実施形態において、この比率は、１を超え得る。別の実施形態において、この比率は、２を超え得る。
【００３０】
最後に、可能な限り広いカラーパレットを有することが望ましく、したがって、昼白色カバーが理想的である。概して、Ｄ６５反射色座標Ｌ＊、ａ＊、およびｂ＊は、以下：８０≦Ｌ＊≦１００、−５≦ａ＊≦５、および−５≦ｂ＊≦５の制限内であるべきである。より大きなカラーパレットは、８５≦Ｌ＊≦１００、−３≦ａ＊≦３、および−３≦ｂ＊≦４の場合に達成可能である。
【００３１】
限られた数の実施形態に関して本発明を説明してきたが、本明細書において開示される本発明の範囲から逸脱することなく他の実施形態を案出することができることを、本開示の恩恵に与る当業者は理解するであろう。したがって、本発明の範囲は、添付の特許請求の範囲によってのみ限定されるべきである。
【００３２】
以下、本発明の好ましい実施形態を項分け記載する。
【００３３】
実施形態１
照明されていないときは白色に見え、電子デバイスの選択部分を覆うように適合された形状を有する透光性カバー部品であって、１０％未満の直接透過率および１％以上の拡散透過率を有する、透光性カバー部品と；
該透光性カバー部品の裏面から該透光性カバー部品を照明するように配置されたバックライト部品であって、異なるスペクトル出力を有する少なくとも２つの個別にアドレス可能な有色光を提供するように構成されたバックライト部品と
を含む、電子デバイス用の色変更カバーデバイス。
【００３４】
実施形態２
前記直接透過率が５％未満である、実施形態１に記載の色変更カバーデバイス。
【００３５】
実施形態３
前記拡散透過率が２％を超える、実施形態１に記載の色変更カバーデバイス。
【００３６】
実施形態４
直接透過率に対する拡散透過率の比率が１を超える、実施形態１に記載の色変更カバーデバイス。
【００３７】
実施形態５
直接透過率に対する拡散透過率の比率が２を超える、実施形態１に記載の色変更カバーデバイス。
【００３８】
実施形態６
前記透光性カバー部品のＤ６５反射色座標Ｌ＊、ａ＊、およびｂ＊が、それぞれ８０≦Ｌ＊≦１００、−５≦ａ＊≦５、および−５≦ｂ＊≦５の範囲内である、実施形態１に記載の色変更カバーデバイス。
【００３９】
実施形態７
前記透光性カバー部品の前記Ｄ６５反射色座標Ｌ＊、ａ＊、およびｂ＊が、それぞれ８５≦Ｌ＊≦１００、−３≦ａ＊≦３、および−３≦ｂ＊≦４の範囲内である、実施形態１に記載の色変更カバーデバイス。
【００４０】
実施形態８
前記透光性カバー部品が、白色ガラス−セラミック材料を含む、実施形態１に記載の色変更カバーデバイス。
【００４１】
実施形態９
前記白色ガラス−セラミック材料が、少なくとも２００ＭＰａの圧縮応力下にある少なくとも１つの表面と、少なくとも１５μｍの圧縮応力層深さを有する圧縮応力層とを有する、実施形態８に記載の色変更カバーデバイス。
【００４２】
実施形態１０
前記白色ガラス−セラミック材料が、５０ｋＰを超える液相粘度を有する、実施形態８に記載の色変更カバーデバイス。
【００４３】
実施形態１１
前記透光性カバー部品が、透明ガラスと、該透明ガラスの表面上に適用された白色拡散コーティングとを含み、該白色拡散コーティングが、該透光性カバー部品の前記裏面に位置されている、実施形態１に記載の色変更カバーデバイス。
【００４４】
実施形態１２
前記透明ガラスが、少なくとも２００ＭＰａの圧縮応力下にある少なくとも１つの表面と、少なくとも１５μｍの深さを有する圧縮応力層とを有する、実施形態１１に記載の色変更カバーデバイス。
【００４５】
実施形態１３
前記バックライト部品が、前記透光性カバー部品の前記裏面に対向する関係で位置決めされたカラーアレイを含む、実施形態１に記載の色変更カバーデバイス。
【００４６】
実施形態１４
前記バックライト部品が、前記透光性カバー部品の前記裏面に対向する関係で位置決めされた有色光源のアレイを含む、実施形態１に記載の色変更カバーデバイス。
【００４７】
実施形態１５
前記バックライト部品が、前記透光性カバー部品の端部またはその付近の位置から前記透光性カバー部品の前記裏面に有色光を投影するように配置された複数の有色光源を含む、実施形態１に記載の色変更カバーデバイス。
【００４８】
実施形態１６
前記バックライト部品が、反射面に有色光を投影するように配置された複数の有色光源を含み、該反射面が、該有色光源から受けた該有色光を、前記透光性カバー部品の前記裏面に向けて反射するように配置されている、実施形態１に記載の色変更カバーデバイス。
【００４９】
実施形態１７
前記有色光の少なくとも１つを受け取って、該有色光の該少なくとも１つを前記透光性カバー部品の周囲材料へと分配するために、該透光性カバー部品の前記裏面に埋め込まれた少なくとも１つの導波路をさらに含む、実施形態１に記載の色変更カバーデバイス。
【００５０】
実施形態１８
前記有色光の少なくとも１つを受け取って、該有色光の該少なくとも１つを前記透光性カバー部品の周囲材料へと分配するために、該透光性カバー部品の前記裏面の近位に配置された少なくとも１つの光拡散ファイバーをさらに含む、実施形態１に記載の色変更カバーデバイス。
【００５１】
実施形態１９
前記バックライト部品が、複数の発光ダイオードまたはレーザーを含む、実施形態１に記載の色変更カバーデバイス。
【００５２】
実施形態２０
前記裏面が、前記透光性カバー部品が直接透過率より高い拡散透過率を示すように粗化されている、実施形態１に記載の色変更カバーデバイス。
【符号の説明】
【００５３】
２  面
４  電子デバイス
６  切り抜き部
８  カメラレンズ
１０  色変更カバーデバイス
１２  透光性カバー部品
１２ａ  第一材料層、ガラス
１２ｂ  白色拡散コーディング
１４、１４ａ  裏面
１５  前面
１６、１６ａ、１６ｂ、１６ｃ、１６ｄ、１６ｅ  バックライト部品
１８  カラーアレイ
２０、２１、２２、２６、３４  有色光源
２４  反射面
２８  導波路
３０  コア
３２  被覆材
３６  光拡散ファイバー
【図１】
2017519363.tif 000005
【図２】
2017519363.tif 000006
【図３】
2017519363.tif 000007
【図４】
2017519363.tif 000008
【図５】
2017519363.tif 000009
【図６】
2017519363.tif 000010
【図７】
2017519363.tif 000011
【図８】
2017519363.tif 000012
【図９】
2017519363.tif 000013
【図１０】
2017519363.tif 000014
【図１１】
2017519363.tif 000015
【図１２】
2017519363.tif 000016
【国際調査報告】
2017519363.tif 000017
2017519363.tif 000018